(57)【要約】 【課題】  端子金具の保持力を増強する。【解決手段】  合成樹脂製のハウジング１０には、端子金具２０を挿入可能な端子金具２０挿入孔が設けられている。端子金具２０には、端子挿入孔１３内に圧入可能な圧入部２４が設けられている。端子金具２０における圧入部２４よりも後方位置には、挿入に伴って端子挿入孔１３の周縁部に食い込んでその肉１３ａを内側へ寄せることが可能な食い込み部２６が設けられている。圧入部２４の後端部には、食い込み部２６によって寄せられた肉１３ａに対して引っ掛かる引っ掛け部２８が設けられている。【選択図】  図３
2005347022.tif 000002
【特許請求の範囲】
【請求項１】
合成樹脂製のコネクタハウジングには、端子金具を挿入可能な端子挿入孔が設けられており、
前記端子金具には、前記端子挿入孔内に圧入可能な圧入部が設けられるとともに、この圧入部に対して挿入方向後方位置には、挿入に伴って端子挿入孔の周縁部に食い込んでその肉を内側へ寄せることが可能な食い込み部が設けられ、且つ前記圧入部における挿入方向後端部には、前記食い込み部によって寄せられた肉に対して引っ掛かる引っ掛け部が設けられていることを特徴とするコネクタ。
【請求項２】
前記端子金具のうち、前記圧入部と前記食い込み部との間の部分は、挿入方向前側に行くに連れて拡幅するよう形成されることで、前記食い込み部によって寄せられた肉に対して係止可能な係止部とされていることを特徴とする請求項１記載のコネクタ。
【請求項３】
合成樹脂製のコネクタハウジングに設けられた端子挿入孔内に挿入されるものであって、
前記端子挿入孔内に圧入可能な圧入部と、
前記圧入部に対して挿入方向後方位置に設けられるとともに、挿入に伴って前記端子挿入孔の周縁部に食い込んでその肉を内側へ寄せることが可能な食い込み部と、
前記圧入部における挿入方向後端部に設けられるとともに、前記食い込み部によって寄せられた肉に対して引っ掛け可能とされる引っ掛け部とを備えることを特徴とする端子金具。
【発明の詳細な説明】
【技術分野】
【０００１】
本発明は、コネクタ、及び端子金具に関する。
【背景技術】
【０００２】
従来、ハウジングに端子金具を挿入可能な端子挿入孔を設けたものの一例として下記特許文献１に記載されたものが知られている。このものは、基板に取り付けられるタイプのコネクタであって、ハウジングが端子金具を挿入可能な端子挿入孔を複数設けた端子保持部と、端子保持部から前方へ突出する筒状のフード部とから構成されている。フード部内には、前方から相手コネクタが嵌合可能とされ、嵌合に伴って相手端子金具と端子金具とが導通接続されるようになっている。
【特許文献１】特開平９−１５３３８６号公報
【発明の開示】
【発明が解決しようとする課題】
【０００３】
ところで、例えばハウジングに対する端子金具の挿入作業を自動化するといった目的で、端子金具をハウジングに対して後方、つまり相手コネクタとの嵌合面とは反対側から挿入する場合がある。ところが、そうすると相手コネクタを嵌合するのに伴って、端子金具に対して接続される相手端子金具により抜け方向への力が作用することになるため、端子金具の抜け止め力の増強が課題となっていた。
本発明は上記のような事情に基づいて完成されたものであって、端子金具の保持力を増強することを目的とする。
【課題を解決するための手段】
【０００４】
上記の目的を達成するための手段として、請求項１の発明に係るコネクタは、合成樹脂製のコネクタハウジングには、端子金具を挿入可能な端子挿入孔が設けられており、前記端子金具には、前記端子挿入孔内に圧入可能な圧入部が設けられるとともに、この圧入部に対して挿入方向後方位置には、挿入に伴って端子挿入孔の周縁部に食い込んでその肉を内側へ寄せることが可能な食い込み部が設けられ、且つ前記圧入部における挿入方向後端部には、前記食い込み部によって寄せられた肉に対して引っ掛かる引っ掛け部が設けられている構成としたところに特徴を有する。
【０００５】
請求項２の発明は、請求項１に記載のものにおいて、前記端子金具のうち、前記圧入部と前記食い込み部との間の部分は、挿入方向前側に行くに連れて拡幅するよう形成されることで、前記食い込み部によって寄せられた肉に対して係止可能な係止部とされているところに特徴を有する。
【０００６】
請求項３の発明に係る端子金具は、合成樹脂製のコネクタハウジングに設けられた端子挿入孔内に挿入されるものであって、前記端子挿入孔内に圧入可能な圧入部と、前記圧入部に対して挿入方向後方位置に設けられるとともに、挿入に伴って前記端子挿入孔の周縁部に食い込んでその肉を内側へ寄せることが可能な食い込み部と、前記圧入部における挿入方向後端部に設けられるとともに、前記食い込み部によって寄せられた肉に対して引っ掛け可能とされる引っ掛け部とを備えるところに特徴を有する。
【発明の効果】
【０００７】
＜請求項１及び請求項３の発明＞
コネクタハウジングの端子挿入孔内に端子金具を挿入すると、圧入部が圧入されるとともに、端子挿入孔の周縁部が一旦外側へ押し退けられる。その後、食い込み部が端子挿入孔の周縁部に食い込むとともに、その肉が内側へ寄せられて圧入部の後側に進入することになる。そして、その寄せられた肉に対して圧入部における挿入方向後端部に設けられた引っ掛け部が引っ掛かるようになっているから、端子金具の抜け止め力を増強することができる。
【０００８】
＜請求項２の発明＞
引っ掛け部に加えて係止部が食い込み部によって寄せられた肉に対して係止するようになっているから、端子金具の抜け止め力をさらに増強することができる。
【発明を実施するための最良の形態】
【０００９】
＜実施形態＞
本発明の一実施形態を図１ないし図３によって説明する。本実施形態では、基板（図示せず）に取り付けられる基板用コネクタを例示する。基板用コネクタは、おおまかには、図１に示すように、コネクタハウジング１０（以下、単にハウジング１０という）と、ハウジング１０に装着される複数本の端子金具２０とから構成されている。なお以下では、前後方向の記載については、ハウジング１０に対する端子金具２０の挿入方向を基準とし、挿入方向を前方、逆の抜け方向を後方とする。また上下方向の記載については、図１を基準とする。
【００１０】
ハウジング１０は、ガラス繊維入りの合成樹脂製とされており、端子金具２０を保持可能な端子保持部１１と、端子保持部１１の周縁から前方へ突出するフード部１２とから構成されている。端子保持部１１には、端子金具２０を後方から挿入可能な端子挿入孔１３が、上下３段、幅方向に複数個ずつ並んで設けられている。フード部１２は、前方へ開口する略筒状に形成されるとともに、前方から図示しない相手コネクタが嵌合可能とされている。また端子保持部１１における前面が相手コネクタとの嵌合面１４となっている。
【００１１】
端子金具２０は、所定形状に打ち抜いた金属製の板材に曲げ加工を施すことで、全体が略Ｌ字型に形成されており、全長にわたって幅寸法の方が厚み寸法よりも大きく設定されている。端子金具２０のうち、ほぼ水平状の部分の前端側部分は、フード部１２内に突出して配され、ここが相手コネクタに設けられた相手端子金具（図示せず）と導通接続可能なコネクタ接続部２１とされる。端子金具２０におけるほぼ水平状の部分のうち、コネクタ接続部２１の後側の部分は、端子挿入孔１３内に挿入された状態で配され、ここが挿入部２２とされる。端子金具２０のうち、ほぼ鉛直状の部分の下端側部分は、図示しない基板に設けられた孔部内に挿入されるとともに半田付けなどによって基板にプリントされた導電路に対して電気的に接続されるようになっており、ここが基板接続部２３とされる。またこのうちコネクタ接続部２１の幅寸法は、端子挿入孔１３の幅寸法よりも小さく設定されている。
【００１２】
続いて、端子挿入孔１３と挿入部２２について詳細に説明する。挿入部２２のうち前端側部分は、図２に示すように、側方（幅方向）に張り出すとともに端子挿入孔１３内に圧入可能な圧入部２４とされる。圧入部２４は、その幅寸法が端子挿入孔１３の幅寸法よりも大きくなるよう設定されることで、挿入に伴って端子挿入孔１３の周縁部の肉１３ａが外側へ弾性的に押し退けられるようになっている。圧入部２４は、前端側に行くに連れて次第に幅寸法が小さくなるよう前面と側面が互いに連続するなだらかな略曲面状に形成されており、これにより挿入力が低減されるようになっている。一方、端子挿入孔１３における前端部には、端子金具２０の挿入に伴って前方へ押し出される可能性がある端子挿入孔１３の周縁部の肉１３ａを逃がすための逃がし凹部１５が形成されている。また端子挿入孔１３のうち逃がし部の直後には、内方へ突出する突出部１６が形成されている。
【００１３】
挿入部２２の後端側部分には、前方の圧入部２４に対して所定の間隔を空けて対向する張出部２５が側方に張り出して設けられている。この張出部２５の幅寸法は、圧入部２４よりもさらに大きく設定されている。これに対し、端子挿入孔１３の後端部には、張出部２５よりもさらに幅広に形成されることで張出部２５を受け入れ可能な受入凹部１７が形成されている。この受入凹部１７は、段付き状に形成されている。また端子挿入孔１３のうち受入凹部１７の直前には、幅寸法が僅か広げられた拡幅部１８が形成されている。
【００１４】
そして、張出部２５の前端部からは、一対の食い込み部２６が前方へ突出して設けられている。食い込み部２６は、先端側に行くほど幅寸法が小さくなるよう先細り状をなしており、その外面が張出部２５の外面と略面一状の真直面として形成されるのに対し、内面２６ａ（受入空間２７側を向いた面）は、後端側に行くほど内方へ張り出すよう傾斜して形成されている。この内面２６ａは、前側の真っ直ぐな面（テーパ面）と後側の曲面とを繋げた構成とされる。食い込み部２６は、挿入に伴って受入凹部１７の前端面（端子挿入孔１３の周縁部）に食い込むとともに、その内面２６ａにより内側に進入した肉１３ａを前方及び内方へ寄せることができるようになっている。食い込み部２６は、圧入部２４よりも幅方向について外側に配されており、後述する係止部２９との間に所定の間隔を空けて配されている。
【００１５】
互いに対向する圧入部２４と食い込み部２６との間に確保される空間は、圧入部２４が通過した後に端子挿入孔１３の周縁部の肉１３ａがある程度弾性的に復元して進入したり、また食い込み部２６によって押し寄せられた肉１３ａが進入するのを許容する受入空間２７となっている。言い換えると、端子金具２０における圧入部２４と食い込み部２６との間の部分には、圧入部２４や食い込み部２６よりも相対的に引っ込む凹部が形成されることで、受入空間２７が形成されている。
【００１６】
そして、圧入部２４の後端部には、受入空間２７内に進入した端子挿入孔１３の周縁部の肉１３ａに対して引っ掛け可能とされる引っ掛け部２８が設けられている。この引っ掛け部２８は、圧入部２４から後方、つまり受入空間２７側へ突出しており、その突出寸法は外端側ほど大きくなるフック状に形成されている。従って、引っ掛け部２８における肉１３ａに対する引っ掛かり面である後端面２７ａは、内向きに傾斜した逆テーパ状（オーバーハング状）に形成されており、これにより端子金具２０が抜け方向へ引っ張られたときに引っ掛かった肉１３ａに対して内側へ寄せるような力が作用するようになっている。
【００１７】
さらには、端子金具２０のうち受入空間２７に対応する部分、つまり圧入部２４と食い込み部２６との間の部分は、前端側に行くに連れて拡幅する形状に形成されており、ここが受入空間２７内に進入した端子挿入孔１３の周縁部の肉１３ａに対して係止可能な係止部２９とされている。係止部２９の両側面２９ａは、斜め後方を向いた傾斜面とされており、端子金具２０が抜け方向へ引っ張られたときに係止した肉１３ａに対して外側へ押し出す、つまり引っ掛け部２８とは逆方向へ変位させるような力が作用するようになっている。係止部２９の幅寸法は、圧入部２４、張出部２５及び端子挿入孔１３よりは小さいものの、コネクタ接続部２１よりは大きくなるよう設定されている。
【００１８】
本実施形態は以上のような構造であり、続いてその作用を説明する。ハウジング１０に対して端子金具２０を装着するには、図２に示す状態から端子挿入孔１３に対して端子金具２０のうちコネクタ接続部２１の先端部を後方、つまり相手コネクタとの嵌合面１４とは反対側から矢線方向へ向けて挿入するようにする。なおこの挿入作業は、自動機によって行われる。
【００１９】
コネクタ接続部２１に引き続いて挿入部２２のうち圧入部２４が端子挿入孔１３内に進入すると、圧入部２４は、受入凹部１７の前端面に食い込むとともに端子挿入孔１３の周縁部の肉１３ａを弾性的に押し退けつつ前進する。圧入部２４によって一旦押し退けられた肉１３ａは、圧入部２４が通過するのに伴い押圧力が除去されることで復元しつつ受入空間２７内に進入する。その一方、圧入部２４に引き続いて食い込み部２６が端子挿入孔１３内に進入すると、食い込み部２６は、その先端部が受入凹部１７の前端面（圧入部２４よりも外側位置）に食い込むとともにその内側（受入空間２７のうち食い込み部２６と係止部２９との間の領域）に端子挿入孔１３の周縁部の肉１３ａが進入する。この状態で食い込み部２６が前進するのに伴って、内側に進入した肉１３ａが食い込み部２６の内面２６ａによって前方及び内方へと押し寄せられるとともに受入空間２７内（特に食い込み部２６よりも前側の領域）に進入する。
【００２０】
図１及び図３に示すように、端子金具２０が正規深さに達したところで挿入動作が停止される。この正規挿入状態では、図３に示すように、受入空間２７内に進入した肉１３ａに対して引っ掛け部２８の後端面２８ａと係止部２９の両側面２９ａが引っ掛かっている（係止している）。この状態でフード部１２内に相手コネクタが嵌合されると、その相手端子金具がコネクタ接続部２１に対して接続されるのに伴って作用する摩擦抵抗力により、端子金具２０には抜け方向へ変位させるような力が作用する。ところが、受入空間２７内に進入した肉１３ａに対して引っ掛け部２８の後端面２８ａ及び係止部２９の両側面２９ａが食い付くことで、端子金具２０の抜け止めが強固になされるので、端子金具２０が抜け方向へ変位するのが防がれるようになっている。なお受入空間２７内に進入する肉１３ａの量などについては、諸条件（ハウジング１０の材料や端子金具２０の挿入時の環境など）によって図示以外の形態となる可能性があるが、その場合でも上記と同様の効果を得ることができる。
【００２１】
以上説明したように本実施形態によれば、端子金具２０に圧入部２４を設けるとともに、圧入部２４よりも後方位置に端子挿入孔１３の周縁部に食い込んでその肉１３ａを内側へ寄せることが可能な食い込み部２６を設け、且つ圧入部２４における後端部に挿入に伴って食い込み部２６によって寄せられた肉１３ａに対して引っ掛かる引っ掛け部２８を設けるようにしたから、端子金具２０の抜け止め力を増強することができる。
【００２２】
しかも、圧入部２４と食い込み部２６との間の部分に、前側に行くに連れて拡幅するよう形成されることで、食い込み部２６によって寄せられた肉１３ａに対して係止可能な係止部２９が設けられているから、端子金具２０の抜け止め力をさらに増強することができる。
【００２３】
＜他の実施形態＞
本発明は上記記述及び図面によって説明した実施形態に限定されるものではなく、例えば次のような実施形態も本発明の技術的範囲に含まれ、さらに、下記以外にも要旨を逸脱しない範囲内で種々変更して実施することができる。
（１）上記した実施形態では、係止部が全長にわたって拡幅する形状のものを示したが、一部分のみが拡幅する形状のものも本発明に含まれる。また係止部を拡幅する形態とせず、途中に突起を設けるようにしても構わない。
【００２４】
（２）Ｌ型の端子金具に限らず、全長にわたって真っ直ぐなストレート型の端子金具にも本発明は適用可能である。
（３）基板との接続方法については、半田付けであっても、いわゆるプレスフィットでもよい。
（４）基板用コネクタ以外にも、前後両側から相手コネクタが嵌合される、いわゆる中継コネクタにも本発明は適用可能である。
【００２５】
（５）ハウジングの材料については、ガラス繊維を含まない合成樹脂材であってもよい。
（６）自動機で端子金具を挿入するものに限らず、作業者が挿入するようにしてもよい。
【図面の簡単な説明】
【００２６】
【図１】本発明の一実施形態に係る基板用コネクタの側断面図
【図２】端子金具を端子挿入孔に挿入する前の状態を示す拡大平断面図
【図３】端子金具を端子挿入孔内に挿入した状態を示す拡大平断面図
【符号の説明】
【００２７】
１０…ハウジング
１３…端子挿入孔
１３ａ…肉
２０…端子金具
２４…圧入部
２６…食い込み部
２８…引っ掛け部
２９…係止部
【図１】
2005347022.tif 000003
【図２】
2005347022.tif 000004
【図３】
2005347022.tif 000005